(57)【要約】      （修正有）【課題】装飾帯を備えたリュックサックのバックル構造を提供する。【解決手段】リュックサックのバックル構造は、リュックサックと、複数のチェストストラップ２０と、複数の第１装飾帯３０を含み、リュックサックが平行に設置された少なくとも複数の第１ストラップ１０を備え、各チェストストラップが各第１ストラップ上にそれぞれ設置され、かつ各チェストストラップの相対する一端上に第１バックルと第２バックルがそれぞれ設置され、第１バックルが第２バックルと着脱自在に結合可能であり、複数の第１装飾帯が各チェストストラップ上にそれぞれ設置され、各第１装飾帯が動物の脚の造形である。【選択図】図１
0003219227.tif 000002
【実用新案登録請求の範囲】
【請求項１】
リュックサックのバックル構造であって、リュックサックと、複数のチェストストラップと、複数の第１装飾帯を含み、
該リュックサックが、平行に設置された少なくとも複数の第１ストラップを備え、
各該チェストストラップが、各該第１ストラップ上にそれぞれ設置され、かつ各該チェストストラップの相対する一端上に第１バックルと、第２バックルがそれぞれ設置され、該第１バックルが該第２バックルと着脱自在に結合され、
該複数の第１装飾帯が各該チェストストラップ上にそれぞれ設置される、
ことを特徴とする、リュックサックのバックル構造。
【請求項２】
前記各第１装飾帯が、動物の脚の造形または人体の腕の造形であることを特徴とする、請求項１に記載のリュックサックのバックル構造。
【請求項３】
前記各第１装飾帯が、各該第１ストラップまで延伸されることを特徴とする、請求項２に記載のリュックサックのバックル構造。
【請求項４】
前記各第１装飾帯が各該第１ストラップ及び該リュックサック上まで延伸されることを特徴とする、請求項２に記載のリュックサックのバックル構造。
【請求項５】
前記リュックサックがさらに複数の第２ストラップを備え、各該第２ストラップの相対する一端上に第３バックルと、第４バックルがそれぞれ設置され、該第３バックルが該第４バックルと着脱自在に結合され、かつ該第２ストラップ上にさらに複数の第２装飾帯が設置され、各該第２装飾帯が動物の脚の造形または人体の腕の造形であることを特徴とする、請求項１に記載のリュックサックのバックル構造。
【請求項６】
前記各第２装飾帯が各該第２ストラップまで延伸されることを特徴とする、請求項５に記載のリュックサックのバックル構造。
【請求項７】
前記各第２装飾帯が各該第２ストラップ及び該リュックサック上まで延伸されることを特徴とする、請求項５に記載のリュックサックのバックル構造。
【請求項８】
前記リュックサックが、人物または動物の造形であることを特徴とする、請求項１に記載のリュックサックのバックル構造。
【請求項９】
リュックサックのバックル構造であって、
リュックサックを含み、該リュックサックが、少なくとも複数の第１ストラップと、複数の第２ストラップを備え、各該第１ストラップが平行に設置され、各該第２ストラップの相対する一端上に第３バックルと、第４バックルがそれぞれ設置され、該第３バックルが該第４バックルと着脱自在に結合され、かつ該第２ストラップ上にさらに複数の第２装飾帯が設置され、各該第２装飾帯が動物の脚の造形または人体の腕の造形である、ことを特徴とする、リュックサックのバックル構造。
【請求項１０】
前記リュックサックが、人物または動物の造形であることを特徴とする、請求項９に記載のリュックサックのバックル構造。
【考案の詳細な説明】
【技術分野】
【０００１】
本考案はリュックサックのストラップに関し、特に、装飾帯を備えたストラップに関する。
【背景技術】
【０００２】
従来のリュックサックのストラップは、人体上に背負わせるために提供されており、快適性または通気性を向上するための改良がなされてはいるものの、従来のストラップは他の機能と効果がないため、改良の余地がある。
【考案の概要】
【考案が解決しようとする課題】
【０００３】
上述の欠点に鑑み、本考案は、リュックサックのバックル構造を提供することを課題とする。
【課題を解決するための手段】
【０００４】
以下この考案について説明する。請求項１に記載するリュックサックのバックル構造は、リュックサックと、複数のチェストストラップと、複数の第１装飾帯を含み、該リュックサックが平行に設置された少なくとも複数の第１ストラップを備え、各該チェストストラップが各該第１ストラップ上にそれぞれ設置され、かつ各該チェストストラップの相対する一端上に第１バックルと第２バックルがそれぞれ設置され、該第１バックルが該第２バックルと着脱自在に結合可能であり、該複数の第１装飾帯が各該チェストストラップ上にそれぞれ設置される。
【０００５】
請求項２に記載するリュックサックのバックル構造は、請求項１における前記各第１装飾帯が、動物の脚の造形または人体の腕の造形である。
【０００６】
請求項３に記載するリュックサックのバックル構造は、請求項２における前記各第１装飾帯が、各該第１ストラップまで延伸される。
【０００７】
請求項４に記載するリュックサックのバックル構造は、請求項２における前記各第１装飾帯が、各該第１ストラップ及び該リュックサック上まで延伸される。
【０００８】
請求項５に記載するリュックサックのバックル構造は、請求項１における前記リュックサックがさらに複数の第２ストラップを備え、各該第２ストラップの相対する一端上に第３バックルと、第４バックルがそれぞれ設置され、該第３バックルが該第４バックルと着脱自在に結合され、かつ該第２ストラップ上にさらに複数の第２装飾帯が設置され、各該第２装飾帯が動物の脚の造形または人体の腕の造形である。
【０００９】
請求項６に記載するリュックサックのバックル構造は、請求項５における前記各第２装飾帯が各該第２ストラップまで延伸される。
【００１０】
請求項７に記載するリュックサックのバックル構造は、請求項５における前記各第２装飾帯が各該第２ストラップ及び該リュックサック上まで延伸される。
【００１１】
請求項８に記載するリュックサックのバックル構造は、請求項１における前記リュックサックが、人物または動物の造形である。
【００１２】
請求項９に記載するリュックサックのバックル構造は、リュックサックのバックル構造であって、リュックサックを含み、該リュックサックが、少なくとも複数の第１ストラップと、複数の第２ストラップを備え、各該第１ストラップが平行に設置され、各該第２ストラップの相対する一端上に第３バックルと、第４バックルがそれぞれ設置され、該第３バックルが該第４バックルと着脱自在に結合され、かつ該第２ストラップ上にさらに複数の第２装飾帯が設置され、各該第２装飾帯が動物の脚の造形または人体の腕の造形である。
【００１３】
請求項１０に記載するリュックサックのバックル構造は、請求項９における前記リュックサックが、人物または動物の造形である。
【図面の簡単な説明】
【００１４】
【図１】本考案の使用状態を示す概略図である。
【図２】本考案の部分拡大外観図である。
【図３】本考案の部分拡大分解図である。
【図４】本考案の別の実施例を示す概略図である。
【考案を実施するための形態】
【００１５】
図１に示すように、本考案のリュックサックのバックル構造１は、リュックサックの複数の第１ストラップ１０と、複数のチェストストラップ２０と、複数の第１装飾帯を含む。各部材について以下で説明する。
【００１６】
リュックサック（図示しない）は、少なくとも複数の第１ストラップ１０を備え、各該第１ストラップ１０は平行に設置される。
【００１７】
図１から図３に示すように、チェストストラップ２０は、各該チェストストラップ２０が各該第１ストラップ１０上にそれぞれ設置され、かつ各該チェストストラップ２０の相対する一端上に第１バックル２１と、第２バックル２２がそれぞれ設置され、該第１バックル２１は該第２バックル２２と着脱自在に結合可能である。
【００１８】
第１装飾帯３０は、各該チェストストラップ２０上にそれぞれ設置され、各該第１装飾帯は動物の脚の造形であり、かつ各該第１装飾帯は各該第１ストラップ１０上まで延伸され、必要に応じてリュックサック上まで延伸されてもよく、各該チェストストラップ２０を結合させたとき、動物の脚の造形の第１装飾帯３０により囲んで保持するように見えるため、非常に特徴的である。
【００１９】
図１から図３に示すように、該リュックサックはさらに複数の第２ストラップ４０を備え、各該第２ストラップ４０の相対する一端上に第３バックル４１と、第４バックル４２がそれぞれ設置され、該第３バックル４１は該第４バックル４２と着脱自在に結合可能であり、かつ該第２ストラップ４０上にさらに複数の第２装飾帯５０が設置され、各該第２装飾帯５０は動物の脚の造形（足の掌を含む）または人体の腕の造形（手掌を含む）である。
【００２０】
各該第２装飾帯５０は各該第２ストラップ４０まで延伸されるか、または各該第２ストラップ４０及び該リュックサック上まで延伸される。これにより、各第１装飾帯３０及び各第２装飾帯５０がそれぞれ動物の４本脚を形成し、かつチェストストラップ２０と第２ストラップ４０に伴い人体上を囲んで保持する。
【００２１】
また、リュックサックも各第１装飾帯３０及び各第２装飾帯５０に基づき動物の造形に設計することができ、例えば猫、犬、虎、ライオン等とすることができるが、これらに限らない。
【００２２】
図４に示す実施例において、第２装飾帯５０は人体の腕の造形（手掌を含む）であり、正面図から見ると、人に後方から囲んで保持されているように見える。そのうち、リュックサックも例えば映画やアニメに登場する人物などの人体の造形に設計することができ、第２装飾帯５０はロボットの腕や悪魔の腕、映画やアニメに登場する人物の腕等に設計することができるが、これらに限らない。
【符号の説明】
【００２３】
１０      第１ストラップ
２０      チェストストラップ
２１      第１バックル
２２      第２バックル
３０      第１装飾帯
４０      第２ストラップ
４１      第３バックル
４２      第４バックル
５０      第２装飾帯
【図１】
0003219227.tif 000003
【図２】
0003219227.tif 000004
【図３】
0003219227.tif 000005
【図４】
0003219227.tif 000006